【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
特定の種類の用紙について、当該特定の種類の用紙を印刷で使用することを許可するか否かをユーザの指定に基づいて設定する設定手段と、
印刷ジョブを受け付ける受付手段と、
前記印刷ジョブにおいて印刷で使用する用紙として指定されている用紙が、印刷で使用することを許可されている用紙であるか否かを、前記設定手段によって設定された情報に基づいて判定する判定手段と、
前記印刷ジョブにおいて印刷で使用する用紙として指定されている用紙が、印刷で使用することを許可されている用紙ではないと前記判定手段によって判定された場合に、前記印刷ジョブをキャンセルする処理手段と
を備えることを特徴とする印刷装置。
【請求項２】
特定の種類の用紙について、当該特定の種類の用紙を印刷で使用することを許可するか否かをユーザの指定に基づいて設定する設定手段と、
印刷ジョブを受け付ける受付手段と、
前記印刷ジョブにおいて印刷で使用する用紙として指定されている用紙が、印刷で使用することを許可されている用紙であるか否かを、前記設定手段によって設定された情報に基づいて判定する判定手段と、
前記印刷ジョブにおいて印刷で使用する用紙として指定されている用紙が、印刷で使用することを許可されている用紙ではないと前記判定手段によって判定された場合に、印刷で使用する用紙を変更する変更手段と
を備えることを特徴とする印刷装置。
【請求項３】
前記変更手段は、印刷で使用する用紙をユーザによって指定された用紙に変更することを特徴とする請求項２に記載の印刷装置。
【請求項４】
特定の種類の用紙について、当該特定の種類の用紙を印刷で使用することを許可するか否かをユーザの指定に基づいて設定する設定手段と、
印刷ジョブを受け付ける受付手段と、
前記印刷ジョブにおいて印刷で使用する用紙として指定されている用紙が、印刷で使用することを許可されている用紙であるか否かを、前記設定手段によって設定された情報に基づいて判定する判定手段と、
前記印刷ジョブにおいて印刷で使用する用紙として指定されている用紙が、印刷で使用することを許可されている用紙ではないと前記判定手段によって判定された場合に、前記印刷ジョブをキャンセルするか、又は、印刷で使用する用紙を変更するかを、ユーザの指定に基づいて決定する決定手段と
を備えることを特徴とする印刷装置。
【請求項５】
印刷で使用する用紙を変更すると前記決定手段が決定した場合に、印刷で使用する用紙をユーザによって指定された用紙に変更する変更手段を更に備えることを特徴とする請求項４に記載の印刷装置。
【請求項６】
前記特定の種類の用紙について、当該特定の種類の用紙を印刷で使用することを許可するか否かをユーザが設定するための設定画面を表示する表示手段を更に備え、
前記設定手段は、前記設定画面を介して入力されたユーザの指定に基づいて、前記特定の種類の用紙を印刷で使用することを許可するか否かを設定する
ことを特徴とする請求項１乃至５のいずれか１項に記載の印刷装置。
【請求項７】
前記受付手段は、ネットワークを介して外部装置から送信された印刷ジョブを受け付けることを特徴とする請求項１乃至６のいずれか１項に記載の印刷装置。
【請求項８】
特定の種類の用紙について、当該特定の種類の用紙を印刷で使用することを許可するか否かをユーザの指定に基づいて設定する設定ステップと、
印刷ジョブを受け付ける受付ステップと、
前記印刷ジョブにおいて印刷で使用する用紙として指定されている用紙が、印刷で使用することを許可されている用紙であるか否かを、前記設定ステップで設定された情報に基づいて判定する判定ステップと、
前記印刷ジョブにおいて印刷で使用する用紙として指定されている用紙が、印刷で使用することを許可されている用紙ではないと前記判定ステップで判定された場合に、前記印刷ジョブをキャンセルする処理ステップと
を有することを特徴とする印刷装置の制御方法。
【請求項９】
特定の種類の用紙について、当該特定の種類の用紙を印刷で使用することを許可するか否かをユーザの指定に基づいて設定する設定ステップと、
印刷ジョブを受け付ける受付ステップと、
前記印刷ジョブにおいて印刷で使用する用紙として指定されている用紙が、印刷で使用することを許可されている用紙であるか否かを、前記設定ステップで設定された情報に基づいて判定する判定ステップと、
前記印刷ジョブにおいて印刷で使用する用紙として指定されている用紙が、印刷で使用することを許可されている用紙ではないと前記判定ステップで判定された場合に、印刷で使用する用紙を変更する変更ステップと
を有することを特徴とする印刷装置の制御方法。
【請求項１０】
特定の種類の用紙について、当該特定の種類の用紙を印刷で使用することを許可するか否かをユーザの指定に基づいて設定する設定ステップと、
印刷ジョブを受け付ける受付ステップと、
前記印刷ジョブにおいて印刷で使用する用紙として指定されている用紙が、印刷で使用することを許可されている用紙であるか否かを、前記設定ステップで設定された情報に基づいて判定する判定ステップと、
前記印刷ジョブにおいて印刷で使用する用紙として指定されている用紙が、印刷で使用することを許可されている用紙ではないと前記判定ステップで判定された場合に、前記印刷ジョブをキャンセルするか、又は、印刷で使用する用紙を変更するかを、ユーザの指定に基づいて決定する決定ステップと
を有することを特徴とする印刷装置の制御方法。
【請求項１１】
請求項８乃至１０のいずれか１項に記載の印刷装置の制御方法の各ステップをコンピュータに実行させるためのプログラム。
【手続補正２】
【補正対象書類名】明細書
【補正対象項目名】発明の名称
【補正方法】変更
【補正の内容】
【発明の名称】印刷装置及び印刷装置の制御方法、並びにプログラム
【手続補正３】
【補正対象書類名】明細書
【補正対象項目名】０００１
【補正方法】変更
【補正の内容】
【０００１】
本発明は、印刷装置及び印刷装置の制御方法、並びにプログラムに関する。
【手続補正４】
【補正対象書類名】明細書
【補正対象項目名】０００９
【補正方法】変更
【補正の内容】
【０００９】
上記課題を解決するため、本発明の一態様に係る印刷装置は、特定の種類の用紙について、当該特定の種類の用紙を印刷で使用することを許可するか否かをユーザの指定に基づいて設定する設定手段と、印刷ジョブを受け付ける受付手段と、前記印刷ジョブにおいて印刷で使用する用紙として指定されている用紙が、印刷で使用することを許可されている用紙であるか否かを、前記設定手段によって設定された情報に基づいて判定する判定手段と、前記印刷ジョブにおいて印刷で使用する用紙として指定されている用紙が、印刷で使用することを許可されている用紙ではないと前記判定手段によって判定された場合に、前記印刷ジョブをキャンセルする処理手段とを備えることを特徴とする。
本発明の他の一態様に係る印刷装置は、特定の種類の用紙について、当該特定の種類の用紙を印刷で使用することを許可するか否かをユーザの指定に基づいて設定する設定手段と、印刷ジョブを受け付ける受付手段と、前記印刷ジョブにおいて印刷で使用する用紙として指定されている用紙が、印刷で使用することを許可されている用紙であるか否かを、前記設定手段によって設定された情報に基づいて判定する判定手段と、前記印刷ジョブにおいて印刷で使用する用紙として指定されている用紙が、印刷で使用することを許可されている用紙ではないと前記判定手段によって判定された場合に、印刷で使用する用紙を変更する変更手段とを備えることを特徴とする。
本発明の他の一態様に係る印刷装置は、特定の種類の用紙について、当該特定の種類の用紙を印刷で使用することを許可するか否かをユーザの指定に基づいて設定する設定手段と、印刷ジョブを受け付ける受付手段と、前記印刷ジョブにおいて印刷で使用する用紙として指定されている用紙が、印刷で使用することを許可されている用紙であるか否かを、前記設定手段によって設定された情報に基づいて判定する判定手段と、前記印刷ジョブにおいて印刷で使用する用紙として指定されている用紙が、印刷で使用することを許可されている用紙ではないと前記判定手段によって判定された場合に、前記印刷ジョブをキャンセルするか、又は、印刷で使用する用紙を変更するかを、ユーザの指定に基づいて決定する決定手段とを備えることを特徴とする。